(57)【特許請求の範囲】
【請求項１】
突っ張り棒と、壁面との間に配置し、突っ張り棒を落とさないようにするための突っ張り棒落下防止部材であって、
前記突っ張り棒落下防止部材は、一枚の金属板と、接着部材とから構成され、
前記金属板は、
突っ張り棒と接触する表面と、
前記表面の裏側にある裏面であって、壁面側にある裏面と、
前記金属板の端部で構成され、前記突っ張り棒落下防止部材の下部に２つ設けてある第一下方支持部であって、突っ張り棒を斜め下から支持するための第一下方支持部とを有し、
前記接着部材は、前記裏面に設けてある、突っ張り棒落下防止部材。
【請求項２】
前記金属板が、前記金属板の端部で構成され、突っ張り棒を適切な場所に配置するための第一上方配置部をさらに含む、請求項１に記載の突っ張り棒落下防止部材。
【請求項３】
前記金属板が、前記金属板の端部で構成され、突っ張り棒を、突っ張り棒の真下から支える第二下方支持部をさらに備える、請求項１又は２に記載の突っ張り棒落下防止部材。
【請求項４】
請求項３に記載の突っ張り棒落下防止部材と、
落下防止部材支持部を備える補助支持部材とを含み、前記補助支持部材は、前記突っ張り棒落下防止部材を下方から支える、突っ張り棒落下防止部材セット。
【発明の詳細な説明】
【技術分野】
【０００１】
本発明は、突っ張り棒を支持し、落下を防止するための突っ張り棒落下防止部材に関する。
【背景技術】
【０００２】
家庭では、ハンガーを掛ける目的や、カーテンレールとして使用する目的で、突っ張り棒がよく利用される。
突っ張り棒は、設置する場所に応じて長さを変更することができる伸縮可能な棒である。しかし、突っ張り棒のみでは、重い荷物を掛けると、突っ張り棒ごと落下してしまう。
【０００３】
突っ張り棒の落下を防止するためには、一般的には、壁と、落下防止棒との間に部材を設け、部材と壁との接触面積を大きくすることにより、摩擦抵抗を大きくし、落下を防止する。しかし、接触面積を広い場合、部材が大きくなってしまい、狭い場所での設置が難しい。
【０００４】
このような課題を解決するために、特許文献１には、突っ張り棒と接地面の間に挟んで使用する、滑らない素材で中心に窪みのあることを特徴とする用具が開示されている。しかし、特許文献１では、突っ張り棒の端の形状も特定する必要があり、広範に使用できるものではない。
【先行技術文献】
【特許文献】
【０００５】
【特許文献１】特開２０１３−４７８号公報
【発明の概要】
【発明が解決しようとする課題】
【０００６】
本発明は、突っ張り棒と、壁面との間に配置し、突っ張り棒を落とさないようにするための突っ張り棒落下防止部材であって、省スペースでも設置することができ、しかも、突っ張り棒の先端の大きさも問わない突っ張り棒落下防止部材を提供することを目的とする。
【課題を解決するための手段】
【０００７】
上記の課題に鑑み、本発明者は、鋭意研究の末、下記する本発明を完成した。すなわち、本発明は、突っ張り棒と、壁面との間に配置し、突っ張り棒を落とさないようにするための突っ張り棒落下防止部材であって、突っ張り棒と接触する表面と、前記表面の裏側にある裏面であって、壁面側にある裏面と、前記突っ張り棒落下防止部材の下部に２つ設けてある第一下方支持部であって、突っ張り棒を斜め下から支持するための第一下方支持部と、裏面に設けてある接着部材であって、前記突っ張り棒落下防止部材が壁面から容易に取り外し可能な程度の接着力を有する接着部材とを有する、突っ張り棒落下防止部材である。
【発明の効果】
【０００８】
本発明の突っ張り棒落下防止部材は、省スペースで設置することができるため、突っ張り棒を配置する上部に、障害物があったとしても、障害物ギリギリのところで設置できる。そして、本発明の突っ張り棒落下防止部材は、ピンや釘などを使用して傷をつけたくない賃貸物件などの壁、又はピンや釘などが使用できない金属壁にも使用できる。さらには、必要であれば、一枚の薄い板からも成形することができるため、コストを低く抑えることも可能である。
【図面の簡単な説明】
【０００９】
【図１】図１は、本発明の突っ張り棒落下防止部材１（実施例１）の斜視図である。
【図２】図２は、本発明の突っ張り棒落下防止部材１の正面図である。
【図３】図３は、本発明の突っ張り棒落下防止部材１の側面図である。
【図４】図４は、本発明の突っ張り棒落下防止部材１の背面図である。
【図５】図５は、本発明の突っ張り棒落下防止部材１の使用例を示す図である。
【図６】図６は、本発明の突っ張り棒落下防止部材１に、異なる径の突っ張り棒を用いた場合に、突っ張り棒の端部が配置される位置（７Ｘ、７Ｙ）を示す図である。
【図７】図７は、本発明の突っ張り棒落下防止部材１Ｂ（実施例２）の斜視図である。
【図８】図８は、本発明の突っ張り棒落下防止部材１Ｃ（実施例３）の斜視図である。
【図９】図９は、本発明の突っ張り棒落下防止部材１Ｄ（実施例４）の斜視図である。
【図１０】図１０は、補助支持部材Ｓの斜視図である。
【図１１】図１１は、突っ張り棒落下防止部材１Ｃと、補助支持部材Ｓとをセットとして用いた場合の使用例を示す図である。
【発明を実施するための形態】
【００１０】
本発明の実施の形態の一例について、実施例を用いて説明するが、本発明は実施例に限定されるものではない。
【実施例】
【００１１】
［実施例１］
図１は、本発明の突っ張り棒落下防止部材１の斜視図である。突っ張り棒落下防止部材１は、表面２と、裏面３と、突っ張り棒を支持するための第一下方支持部４，４と、突っ張り棒を適切な場所に配置するための第一上方配置部５と、接着部材６と、から構成される。なお、使用態様の説明の際は、図５を参照する。
【００１２】
本発明の突っ張り棒落下防止部材１は、突っ張り棒７の端部と、突っ張り棒７を設置する壁面８との間に配置される。本明細書において、突っ張り棒とは、長さが調節可能な棒であり、棒の端部を壁に押し当てて固定される棒のことを言う。
【００１３】
突っ張り棒落下防止部材１における表面２は、突っ張り棒７の端部と接触する面である。表面２は、凹凸があっても、平滑な面であっても、どちらでもよく、表面の中心に高さ１ｍｍ程度、直径５ｍｍ程度の突起を設けることができる。このような突起があれば、突っ張り棒の端部に突起がくいこみ、より安定して突っ張り棒７を保持することができる。また、表面２の面積は、少なくとも突っ張り棒７の端部が配置できる程度の面積があればよいが、表面２の面積が大きすぎると、突っ張り棒落下防止部材１が大きくなりすぎてしまい、突っ張り棒７を配置する壁面８に、障害物があると突っ張り棒７を設置しにくくなってしまう。したがって、突っ張り棒落下防止部材１の幅及び高さは、それぞれ独立に３ｃｍ〜２０ｃｍ、好ましくは５ｃｍ〜１５ｃｍ程度である。
【００１４】
裏面３は、表面２の裏面に対応する部分であり、突っ張り棒落下防止部材１が配置される壁面８側の面である。裏面３は、凹凸があっても、平滑な面でも、どちらでもよい。
【００１５】
突っ張り棒落下防止部材１には、突っ張り棒７を支持するための第一下方支持部４，４が二つ設けられている。第一下方支持部４，４は、表面２から突っ張り棒７の方向に突出している。第一下方支持部４，４は、例えば、図５で示すように、地面（床）に対して水平に設けられた突っ張り棒７を、設置した突っ張り棒７の断面において、斜め下の方向から支えている。このように支えることにより、地面（床）に水平に設けられた突っ張り棒７にある程度大きい荷重をかけても、突っ張り棒７を下方から支えることができるため、突っ張り棒落下防止部材１を用いない場合に比べて、より優れた耐荷重を有し、落下を防ぐことができる。
【００１６】
また、第一下方支持部４，４は、中心線に対して左右対称であることが好ましい（図６の中心線１０が左右の中心線である）。中心線に対して左右対称の場合は、図６のように、断面積の大きさが異なる突っ張り棒７であっても、左右方向に中心の位置に突っ張り棒落下防止部材１を配置することができる。すなわち、径の大きい突っ張り棒の端部を配置する位置７Ｘ及び径の小さい突っ張り棒の端部を配置する位置７Ｙのそれぞれの中心は、突っ張り棒落下防止部材１の左右対称の中心線１０上にある。このため、突っ張り棒落下防止部材１を壁面８に設置する際に、突っ張り棒落下防止部材１を適切に設置してしまえば、突っ張り棒７を壁面８に対して垂直に設置しやすい。
【００１７】
また、図６において、下端１１に対する第一下方支持部４，４の角度（ａ，ａ’）は、通常２０°〜６０°程度、好ましくは４５°であるが、特に限定されるものではない。
【００１８】
表面２の上部には、第一上方配置部５が設けられている。第一上方配置部５は、突っ張り棒落下防止部材１に突っ張り棒７を表面２の中心に配置しやすくなる。第一上方配置部５は、突っ張り棒７側に突出している。また、図５のように、第一上方配置部５があれば、図５のような上部の障害物又は天井９があるようなところでも、上部の障害物又は天井９にぎりぎりに設置することができ、すっきりとした印象で配置することができる。
【００１９】
裏面３には、接着部材６が設けられている。接着部材６は、裏面３と、壁面８とを接着するものであり、突っ張り棒７の落下の防止をサポートするものである。接着部材６は、通常、市販の両面テープが用いられる。接着部材６の粘着強度が高すぎる場合、突っ張り棒落下防止部材１の取り外しが困難になってしまうため、接着部材６の形状は、裏面３と同じ形状、又は、図４に示すように、裏面３の形状の相似形にし、接着面積を広くすることができるが、長方形、正方形、円形であってもよい。接着部材６は、壁面８から容易に取り外しが可能な程度である方が好ましい。ここで、「容易に取り外しが可能」とは、特別な道具を使用せずに、人間の手で取り外しが可能程度のことをいう。
【００２０】
［製造方法］
突っ張り棒落下防止部材１は、長方形又は正方形の薄い金属板から成形することができる。
【００２１】
具体的には、５ｍｍ程度の厚さの薄い正方形の金属板を金属板に対して９０°に折り曲げて（折り目は、一つの辺に対して４５°の角度をなす）、二つの第一下方支持部４，４を形成し、そして、薄板の上方を折り曲げて、第一上方配置部５を設け、裏面側に両面テープのような接着部材６を配置させることにより、突っ張り棒落下防止部材１を得る。
【００２２】
［実施例２］
次に実施例２について説明する。実施例２の突っ張り棒落下防止部材１Ｂの斜視図を図７に示す。実施例１と同様に、表面２Ｂと、裏面（図示せず）と、第一下方支持部４Ｂ，４Ｂと、第一上方配置部５Ｂと、裏面に配置される接着部材とを含む。接着部材は、図示されていないが、実施例１と同様に裏面の一部に配置されており、垂直な壁に対して配置可能である。
【００２３】
実施例２の突っ張り棒落下防止部材１Ｂは、第二下方支持部１１Ｂ、及び第二上方配置部１２Ｂ，１２Ｂも、備える。第二下方支持部１１Ｂは、突っ張り棒７の端が配置される部分において、突っ張り棒の落下する方向に対して垂直に支える部分である。すなわち、突っ張り棒７を真下方向から支えるものである。また、第二上方配置部１２Ｂ，１２Ｂは、突っ張り棒７の端が配置される部分の斜上側に配置されるものである。第二下方支持部１１Ｂ、及び第二上方配置部１２Ｂ，１２Ｂがあるため、突っ張り棒落下防止部材１Ｂは、さらにコンパクトにすることができ、また、突っ張り棒７を表面２Ｂの適切な場所に配置しやすくなる。
【００２４】
突っ張り棒落下防止部材１Ｂは、第二下方支持部１１Ｂ、及び第二上方配置部１２Ｂ，１２Ｂを備えることで、表面２Ｂ及び裏面は、正六角形の形状をしている。突っ張り棒落下防止部材１Ｂは、配置できる突っ張り棒７の大きさの自由度は制限されるが、突っ張り棒７を突っ張り棒落下防止部材１Ｂの適切な位置に配置しやすくなる。
【００２５】
［実施例３］
次に実施例３について説明する。実施例３の突っ張り棒落下防止部材１Ｃの斜視図を図８に示す。突っ張り棒落下防止部材１Ｃは、実施例１の突っ張り棒落下防止部材１Ａに類似している。異なる点としては、第二下方支持部１１Ｃを備えている点である。第二下方支持部１１Ｃは、実施例２と同様に、配置される突っ張り棒を真下方向から支えるものである。なお、突っ張り棒落下防止部材１Ｃの裏面には、実施例１と同様に、接着部材が設けてあり、壁に配置可能である。
【００２６】
［実施例４］
次に実施例４について説明する。実施例４の突っ張り棒落下防止部材１Ｄの斜視図を図９に示す。突っ張り棒落下防止部材１Ｄは、実施例２の突っ張り棒落下防止部材１Ｂに類似している。異なる点としては、横方配置部１３Ｄ、１３Ｄをさらに備えている。結果として、表面２Ｄ及び裏面は、正八角形の形状を有している。実施例２と同様、突っ張り棒落下防止部材１Ｂは、配置できる突っ張り棒７の大きさの自由度は制限されるが、突っ張り棒７を突っ張り棒落下防止部材１Ｄの適切な位置に配置しやすくなる。また、図では示されていないが、裏面には、接着部材が設けられている。
【００２７】
［突っ張り棒落下防止部材セット］
図１０には、突っ張り棒落下防止部材の下に配置して、突っ張り棒落下防止部材を下から支える補助支持部材Ｓの斜視図である。補助支持部材Ｓは、表面Ｓ２と、裏面（図示せず）と、落下防止部材支持部Ｓ５とを備える。図示されていないが、突っ張り棒落下防止部材と同様に、裏面には、両面テープ等の接着防止部材が備えられており、壁に配置可能である。なお、補助支持部材Ｓは、表面Ｓ２の中心付近に貫通する孔を設けることができる。突っ張り棒７を強く保持したい場合、当該孔にねじ、鋲などを差し込み、壁への付着強度を増加させる。
【００２８】
突っ張り棒落下防止部材と、補助支持部材Ｓとをセットで使用することにより、突っ張り棒の落下をさらに防止することができる。また、補助支持部材Ｓを用いる場合は、第二下方支持部を有する突っ張り棒落下防止部材と用いる方が、落下防止部材支持部Ｓ５と、第二下方支持部１１Ｃが面で接触できるため、安定し、好ましい。
【００２９】
また、落下防止部材支持部Ｓ５は、図１０のように、板状の形状でよいが、突っ張り棒落下防止部材の２つの第一下方支持部に沿うように、落下防止部材支持部Ｓ５の両端を上方向に持ち上げることもできる。
【００３０】
補助支持部材Ｓは、図１０に示すように、突っ張り棒落下防止部材１Ｃの下方に、壁に貼りつけることで配置し、突っ張り棒落下防止部材１Ｃの第二下方支持部１１Ｃを下から支えている。突っ張り棒落下防止部材１Ｃと、補助支持部材Ｓとは、別々にすることができるため、コンパクトに持ち運びができる上、突っ張り棒の落下を防止する能力が極めて高くなる。なお、図１１では、理解しやすいように、突っ張り棒７は、突っ張り棒落下防止部材１Ｃの、第一下方支持部には接していないが、実際は、接するように配置する方が、突っ張り棒７が安定し、好ましい。
【００３１】
［効果］
効果について下記する。
［１］突っ張り棒と、壁面との間に配置し、突っ張り棒を落とさないようにするための突っ張り棒落下防止部材であって、突っ張り棒と接触する表面と、前記表面の裏側にあ裏面であって、壁面側にある裏面と、前記突っ張り棒落下防止部材の下部に２つ設けてある第一下方支持部であって、突っ張り棒を斜め下から支持するための第一下方支持部と、裏面に設けてある接着部材であって、前記突っ張り棒落下防止部材が壁面から容易に取り外し可能な程度の接着力を有する接着部材とを有する、突っ張り棒落下防止部材は、突っ張り棒７の落下を防止しにくくできる上、しかも、省スペースのため、設置場所が狭い場合であっても備え付けることが可能となる。そして、異なる径の突っ張り棒７であっても、突っ張り棒落下防止部材１の略中心に突っ張り棒７を配置することができる。
【００３２】
［２］突っ張り棒を適切な場所に配置するための第一上方配置部をさらに含む場合は、突っ張り棒落下防止部材１の略中心に突っ張り棒７を配置することができる上、カーテンのレールとして配置する場合は、出入り口の上部に配置するが、第一上方配置部５があれば、すっきりとした印象になる。
【００３３】
［３］一枚の薄い長方形又は正方形部材から成形される場合は、容易に入手可能であり、又は容易に成形可能である板状部材から形成できるため、非常にコストメリットが高い。
【００３４】
［４］突っ張り棒を、突っ張り棒の真下から支える第二下方支持部をさらに備える場合は、突っ張り棒をより支えやすいくし、また、突っ張り棒落下防止部材を用いた場合は、安定して支えられる。
【００３５】
［５］上記［４］の突っ張り棒落下防止部材と、落下防止部材支持部を備える補助支持部材とを含み、補助支持部材は、前記突っ張り棒落下防止部材を下方から支える、突っ張り棒落下防止部材セットは、突っ張り棒落下防止部材の単独の使用に比べて、格段に突っ張り棒の保持力が上昇し、しかも、極めてコンパクトに収容することができる。
【符号の説明】
【００３６】
１、１Ｂ、１Ｃ、１Ｄ：    突っ張り棒落下防止部材
２、２Ｂ、２Ｃ、２Ｄ：    表面
３：    裏面
４、４Ｂ、４Ｃ、４Ｄ：    第一下方支持部
５、５Ｂ、５Ｃ、５Ｄ：    第一上方配置部
６：    接着部材
７：    突っ張り棒
７Ｘ：    径の大きい突っ張り棒の端部の位置
７Ｙ：    径の小さい突っ張り棒の端部の位置
７ＸＣ：    ７Ｘの中心
７ＹＣ：    ７Ｙの中心
８：    壁面
９：    天井
１０：    突っ張り棒落下防止部材１の左右の中心線
１１Ｂ、１１Ｃ、１１Ｄ：    第二下方支持部
１２Ｂ、１２Ｄ：    第二上方配置部
１３Ｄ：    横方配置部
Ｓ：    補助支持部材
Ｓ２：    補助支持部材表面
Ｓ５：    落下防止部材支持部
【要約】
【課題】本発明の突っ張り棒落下防止部材は、省スペースで設置することができるため、障害物ギリギリのところで設置でき、必要であれば、一枚の薄い板からも成形することができるため、コストを低く抑えることも可能である。
【解決手段】突っ張り棒と、壁面との間に配置し、突っ張り棒を落とさないようにするための突っ張り棒落下防止部材であって、突っ張り棒と接触する表面と、前記表面の裏側にある裏面であって、壁面側にある裏面と、前記突っ張り棒落下防止部材の下部に２つ設けてある第一下方支持部であって、突っ張り棒を斜め下から支持するための第一下方支持部と、裏面に設けてある接着部材であって、前記突っ張り棒落下防止部材が壁面から容易に取り外し可能な程度の接着力を有する接着部材とを有する、突っ張り棒落下防止部材。
【選択図】図１【図１】
0005920960.tif 000002
【図２】
0005920960.tif 000003
【図３】
0005920960.tif 000004
【図４】
0005920960.tif 000005
【図５】
0005920960.tif 000006
【図６】
0005920960.tif 000007
【図７】
0005920960.tif 000008
【図８】
0005920960.tif 000009
【図９】
0005920960.tif 000010
【図１０】
0005920960.tif 000011
【図１１】
0005920960.tif 000012